(57)【要約】【課題】布設の手間を減少させ、ケーブルの太さをなるべく増加させないで電源容量を大きくできる屋内用の光ファイバーと電源線を複合させた屋内用のハイブリッドケーブルを提供する。【解決手段】１本の光ファイバー１１と、その光ファイバー１１の外周に設けられる金属線を筒状に編み合わせた円筒状の第１導電層１２と、その第１導電層１２の外周に設けられる絶縁層１５と、その絶縁層１５の外周に設けられる金属線を筒状に編み合わせた円筒状の第２導電層１３と、その第２導電層１３の外周に設けられる絶縁被覆層１４とを有するハイブリッドケーブル１０。【選択図】  図１
2004214031.tif 000002
【特許請求の範囲】
【請求項１】
１本の光ファイバーと、
その光ファイバーの外周に設けられる金属線を筒状に編み合わせた円筒状の第１導電層と、
その第１導電層の外周に設けられる絶縁層と、
その絶縁層の外周に設けられる金属線を筒状に編み合わせた円筒状の第２導電層と、
その第２導電層の外周に設けられる絶縁被覆層
とを有するハイブリッドケーブル。
【請求項２】
前記絶縁被覆層が耐熱性の素材からなる請求項１記載のハイブリッドケーブル。
【請求項３】
前記第１導電層と第２導電層が同一の素材からなり、かつそれらの断面積がほぼ等しい請求項１記載のハイブリッドケーブル。
【発明の詳細な説明】
【０００１】
【発明の属する技術分野】
本発明は光ファイバーと電源線との複合ケーブルであるハイブリッドケーブルに関する。さらに詳しくは一般家庭やマンション、ビル等の屋内に布設されるハイブリッドケーブルに関する。
【０００２】
【従来の技術】
【特許文献１】特開２０００−２４１６８７
【特許文献２】特開平８−１２９９１５
【特許文献３】特開平９−１９８９３１
従来、電源線と光ファイバーを１本のケーブルにまとめたハイブリッドケーブルが知られている。このようなハイブリッドケーブルは、一回の工事で電源線と光ファイバーの両方を同時に布設でき、それらを個々に布設する手間を省くことができる。したがってビルやマンションのような建物に導入されるケーブルの本数を減らして、省スペース化を図ることができる。
【０００３】
そのようなハイブリッドケーブルとして、特許文献１には、図７に示すような給電線複合型光ファイバーケーブル１００が開示されている。この給電線複合型光ファイバーケーブル１００は、１本の支持線１０１と、その周囲に配置される複数本（図では５本）の光ユニット１０２とからなる。前記支持線１０１は複数本の抗張力線１０３と、それらを被覆する絶縁被覆層１０４とからなる。前記光ユニット１０２は２本の導電性張力線１０５と、それらの間に配置される１本の光ファイバー１０６と、それらを被覆する絶縁被覆層１０７とからなる。
【０００４】
特許文献２には、図８ａ、図８ｂに示すような、光ファイバーと電源線を同軸ケーブルにまとめた複合ケーブル１１９が開示されている。この複合ケーブル１１９は、光ファイバー部１１０と、それを内装する電源部１１１とからなる。光ファイバー部１１０は中心となるテンションメンバ１１２と、その外周上に撚り合わせられる複数本の光ファイバー心線１１３と、その外周上に配置される押え巻１１４とから構成され、電源部１１１は前記押え巻１１４の上に配置される円筒状の内部導体１１５と、その上に配置される絶縁層１１６と、さらにその上に配置される外部導体１１７とから構成される。そしてその電源部１１１の最外郭にシース１１８が施されて前記複合ケーブル１１９が形成される。
【０００５】
さらに他の同軸ケーブルの例が特許文献３に開示されている。図９にその要部斜視図を示す。図９の同軸ケーブル１２０は、円筒状の導体線１２４と、その上を被覆する絶縁体１２５とからなる商用電源ケーブル１２１と、その商用電源ケーブル１２１の円筒状の導体線１２４の内部に設けた絶縁体１２３と、その中心部に設けた光ファイバー１２２とからなる。
【０００６】
【発明が解決しようとする課題】
光通信やケーブルテレビ等の通信メディアの発展に伴いマンションやビルまたは一般の家庭に布設されるケーブル類は多種にわたっている。これまでのように個々のケーブルを別々に布設するのは、その工事にかかるコスト、または設置のためのスペースの確保など大変である。さらにケーブル類の増加はそのメンテナンスを煩雑にしている。
【０００７】
上述の特許文献１（図７）によると電源線と光ファイバーを複合させた複合型ケーブルが公開されているが、屋外に布設することが想定されており、ケーブル中心には光ユニット１０２を支持するための支持線１０１が配置され、マンションや一般家庭などの屋内に自由な取り回しで布設するのが困難である。また、光ユニット１０２だけを屋内に布設することもできるが、扁平であるので、ねじれないように布設する必要があり、布設しにくい。
【０００８】
また特許文献２（図８）の同軸型の複合ケーブルは、同軸タイプであるので、ねじれの問題はない。しかし、複合ケーブル１１９の中心にテンションメンバ１１２を配置してその周囲に複数本の光ファイバーを撚り合わせているため、屋内用の複合ケーブルとして布設するのが困難である。さらに特許文献３（図９）の複合ケーブルは屋内に布設するときは、導電体が１層なので末端機器に電源を供給するのに２本のケーブルを必要とする。
【０００９】
本発明は、これらの問題に鑑みてなされたものであり、比較的自由にどの方向にも曲げることができ、布設の手間を減少させ、ケーブルの大きさをなるべく太くせずに導電層の断面積を大きくすることができる屋内用のハイブリッドケーブルに関するものである。
【００１０】
【課題を解決するための手段】
本発明のハイブリッドケーブル（請求項１）は、１本の光ファイバーと、その光ファイバーの外周に設けられる金属線を筒状に編み合わせた円筒状の第１導電層と、その第１導電層の外周に設けられる絶縁層と、その絶縁層の外周に設けられる金属線を筒状に編み合わせた円筒状の第２導電層と、その第２導電層の外周に設けられる絶縁被覆層とを有することを特徴としている。このようなハイブリッドケーブルでは、前記絶縁被覆層が耐熱性の素材からなるものが好ましい（請求項３）。さらに前記第１導電層と第２導電層が同一の素材からなり、かつそれらの断面積がほぼ等しいものが好ましい（請求項４）。
【００１１】
【作用および発明の効果】
本発明のハイブリッドケーブル（請求項１）は、１本の光ファイバーと、その周囲に同軸状に設けられる２層の電源線とが一体となっているため、１本のケーブルで大容量の光通信と通信端末などへの電源供給が可能である。さらに１本のケーブルの太さを細くすることができ、どの方向にも曲げ易い。そのためマンション、ビルや一般家庭などに導入するときに、各々別々に工事を行う手間が省け、その布設にかかる費用やその工期を減少させることができるだけでなく、建物の屋内にケーブルを布設するために設けられるスペースを少なくすることができ、容易にそのスペースを確保することができる。また通信には光ファイバーを用いているため、大容量の通信が可能であり、電源によるノイズの影響を受けない。
【００１２】
さらにビルやマンションの各階ごとに、または大きく仕切った１ブロックごとに導電体の積層数を変化させることにより、その用途に応じて異なる電圧で電源を供給することもできる。また光ファイバーは円筒状の金属線を筒状に編み合わせた電源線や絶縁層で内装されているため、外からの衝撃に強く、防鼠効果もある。
【００１３】
さらに導電層が２重であるので、２つの導電層の間に直流または交流の電圧を加えることにより、ハイブリッドケーブル１本でパソコンなどの末端機器へ電源線と通信線を接続することができる。それをマンション、ビルや一般家庭などの各部屋に布設する場合は、各部屋の通信線や電源線を少なくすることができるため、部屋内でケーブルが整然と並べることができ、見た目も美しい。またオフィス内に配置した場合には、末端機器へとつながる配線が減ってスッキリとするため、ＬＡＮの構築や、末端機器からそのケーブルを外したり、オフィス内の通信の不具合が発生した場合などのメンテナンス時などに効果を発揮する。さらに電源線で電気を供給する接続口（コンセントあるいはリレーなど）に、末端機器が接続されているか、またその末端機器の使用状態（使用電力など）を通信線でモニタリングしたり、その接続の入り切りを制御したりすることも可能である。また、導体線に金属線を筒状に編み合わせた円筒状のものを用いているので、湾曲させるのが容易となり、それの布設時にかかる労力を減少させることができる。
【００１４】
また絶縁被覆層が耐熱性の素材である場合（請求項２）は火災に対して安全なものとなり、１本のケーブルで火災時に使用される煙の排出装置や警報装置などへの電源供給と、それらの機器との通信用（遠隔操作やモニタ）のケーブルに利用することができる。さらに前記第１導電層と第２導電層が同一の素材からなり、かつそれらの断面積がほぼ等しい場合（請求項３）は、第１導電層と第２導電層の電気抵抗がほぼ同じになる。そのため導電層の材料が無駄にならない。すなわち２層の内、抵抗が大きい層によって送電量が規制されるので、両者に差があれば、抵抗が少ない方の材料が無駄になるが、両者が同じであれば、無駄にならない。
【００１５】
【発明の実施の形態】
つぎに図面を参照しながら本発明のハイブリッドケーブルの実施形態を説明する。図１ａは本発明のハイブリッドケーブルの第１の実施形態を示す部分断面正面図、図１ｂはその側面図、図２ａは本発明のハイブリッドケーブルの第２の実施形態の部分断面正面図、図２ｂはその側面図、図３は本発明のハイブリッドケーブルの使用状態を示す概略配線図、図４は本発明のハイブリッドケーブルの他の使用状態を示す概略配線図、図５は本発明のハイブリッドケーブルの布設例を示す斜面図、図６は本発明のハイブリッドケーブルの他の布設例を示す斜面図である。
【００１６】
はじめに図１を参照して本発明のハイブリッドケーブルを説明する。図１に示すハイブリッドケーブル１０は、中心に設けられる１本の通信用の光ファイバー１１と、その光ファイバー１１の外周に配置される円筒状の第１導電層１２と、その第１導電層１２の外周に配置される円筒状の第２導電層１３と、その第２導電層１３の外周に配置される円筒状の絶縁被覆層１４とからなる。
【００１７】
前記光ファイバー１１は従来公知のものを使用することができる。例えば、透明度の高いガラス繊維（石英）からなるものを採用することができる。ガラス繊維以外の素材として、合成樹脂製のものも使うこともできる。この場合、製造プロセスが複雑で、コストが高くなるが、極端な折り曲げにも耐えられるというメリットがあり、パソコン同士やオーディオ信号のやり取りなどの伝送経路として好ましい。光ファイバー１１の断面構成は、光信号が通る中心部分のコアと、そのコアを同心円状に包むクラッドとからなる。コアとクラッドは、光の屈折率の違いによって、光信号をコアに閉じこめて、クラッドとの境界で全反射を繰り返しながら伝送するものである。
【００１８】
このコアの直径により、光ファイバーは、マルチモード光ファイバーと、シングルモード光ファイバーに大別される。シングルモード光ファイバーはコアの部分が細いが、１Ｇｂｉｔ／秒以上の高速伝送ができる。そのため、通信用としては、シングルモード光ファイバーを用いるのが好ましい。なお、光ファイバー１１の周囲に直接第１の導電層１２を設けることもできるが、この実施形態では、光ファイバーの周りは、光ファイバーに傷が付いたり折れたりするのを防ぐため、ナイロンなどの合成樹脂からなる保護用被覆１９が設けられている。なお、保護用被覆１９として、後述する絶縁層１４と同じものを採用することもできる。
【００１９】
前記第１導電層１２および第２導電層１３は、軟銅線などの導体が用いられ、多数の導体をシールド線のように筒状に編組して構成した層であり、前記光ファイバー１１を内装できるように円筒状に形成されている。そして第１導電層１２の断面積と第２導電層１３の断面積は同じにしている。すなわち第１導電層１２を構成する導線の本数と各導線の断面積の積と、第２導電層１３を構成する導線の本数と各導線の断面積の積とを同じにする。たとえば同じ径の導線を用いる場合は、第１導電層１２と第２導電層１３を同じ本数の導線で構成する。また、周方向における導線の線密度を両者で同じにする場合は、第２導電層の導線の太さを第１導電層の導線の太さより細くする。
【００２０】
前記絶縁層１５は第１導電層１２と第２導電層１３間の絶縁のために設けている。ただし前記光ファイバーの屈曲や外からの衝撃の保護の機能も有するものが好ましい。絶縁層１５としては、従来公知のゴム、合成樹脂、補強用の布などの材料が用いられる。なお、後述するように導電層を３重にすると充分に強度を保つことができる。
【００２１】
前記絶縁被覆層１４は、導電層を保護する絶縁性、遮水性に加え、前記ハイブリッドケーブル１０を保護する適度な柔軟性、耐変形性を有する材料、例えばポリ塩化ビニル、ポリエチレンなどの合成樹脂材料、天然ゴム、合成ゴムなどのゴム材料などから構成される。またこの絶縁被覆層１４にはシリコーンラバー、テフロン（登録商標）などの耐火用または耐熱用の素材を用いることもでき、その場合は防火用の排気機器や警報などの機器の通信用ケーブルおよび、それらに電源を供給する電源用のケーブルとして用いることができる。
【００２２】
つぎに前述のように構成されるハイブリッドケーブル１０の使用方法などを説明する。第１導電層１２と第２導電層１３の両導電層間には単相交流１００Ｖまたは２００Ｖなどを流すことができる。例えば電圧Ｖ１を加え、それに接続される機器に電源を供給する。中心の光ファイバー１１は、光信号に対応する通信端末などに接続し、大容量の通信に使用することができる。なお、第２導電層１３の外側に従来公知のアースやシールド線を設けることもでき、第２導電層１３自体をアースやシールド線として用いることもできる。第２導電層１３をシールド線として用いる場合は、このハイブリッドケーブルがサージを発生する機器の近辺に設けられ、内側の第１導電層１２に微弱な直流電流が流されている場合などに、サージ機器から発生するノイズから第１電動層１２をシールドすることができる。特に、コンピュータの電源としてこのハイブリッドケーブル１０を用いる場合は、前記電圧Ｖ１に従来コンピュータに供給されているＤＣ２４Ｖの電圧を加えることにより、電源と光ファイバー１１の通信を同時に行うことができるためコンピュータへの配線がコンパクトになる。
【００２３】
前記導電層１２、１３に流すことができる許容電流は、導電層１２、１３の断面積や絶縁被覆層１４の材質などにより定まる。すなわち導電層に流すことができる電流の許容値は、導電層の断面積が大きくなるほど大きくなる。この実施の形態の場合は、第１導電層１２と第２導電層１３の２つで、その円筒半径が異なることから、内側と外側の層の厚さが同じ場合は、半径の小さい内側の第１導電層１２の断面積の方が小さくなり、電流の許容値は第１導電層１２に従う。そのため余分に断面積が大きい分だけケーブルの重量や太さが大きくなる。したがって前述のように内側の第１導電層１２と外側の第２導電層１３の断面積を等しくする。
【００２４】
なお、直流の電流を流す場合は、外側の導電層１３をマイナス極（−）とし、内側の導電層１２をプラス極（＋）とするのが好ましい。それによりマイナス極をアースする場合に、容易にアース線に接続することができる。たとえば自動車の車内にこのハイブリッドケーブルを配線する場合、外側の導電層１３を車体などのアースに容易に接続することができる。なお、この実施の形態では、導電層に金属線を筒状に編み合わせたものを用い、その断面積は、ハイブリッドケーブルの使用目的などによって異なるが、たとえば１８〜２５ｍｍ２程度である。また各導電層の編組角は６０〜１２０度程度が好ましい。さらに、絶縁層の厚さは０．１〜２ｍｍ程度、好ましくは０．１５〜１ｍｍ程度である。
【００２５】
またこの実施の形態のように光ファイバー１１を絶縁層１５を挟んだ２層の導電層１２、１３によって内装してハイブリッドケーブル１０とすることにより、単に従来例（図７参照）にある前記光ユニット１０２のように光ファイバー１０６が２本の導電性張力線１０５の間に配置されるものより、半径方向の全ての方向に対して屈曲に対する強度が均一である。さらにすべての層が光ファイバー１１を中心とした同心円状に配置されているため、前記光ユニット１０２のように曲げるのが容易である方向や曲げにくい方向がなく、どの方向に対しても容易に曲げることができる。またこの実施の形態では中心にある光ファイバーを導電層１２、１３が２重に積層する構造のため、光ファイバー１１に対して防鼠効果が期待できる。さらに信号線に光ファイバー１１を用いているため、ケーブル内に同時に内装される導電層に流れる電流によってノイズの影響を受けることなく通信することができる。
【００２６】
図２ａは本発明のハイブリッドケーブル１８の第２の実施形態の部分断面正面図、図２ｂはその側面図である。このハイブリッドケーブル１８では導電層がケーブル内部で３重に内装されている。３重に内装されている最外郭は第３導電層２０であり、第２導電層１７との間に第２絶縁層２１が設けられている。３重に配置された導電層では、例えば、第１の導電層１６と第２導電層１７の間に電圧Ｖ２、第１の導電層１６と第３導電層２０間に電圧Ｖ３を加えることができ、電圧Ｖ２とＶ３の両方の電圧が供給できる。さらに第２導電層１７と第３導電層２０の間の差圧である電圧Ｖ３−Ｖ２も使用することができる。また最外郭の第３導電層２０をアースまたはシールド線とした活用することもできる。さらに交流単相１００Ｖや２００Ｖを流すことができ、交流３相の電源も流すことができる。それにより大きな電圧を扱う工場にも利用することができ、工場内の機器に電源を供給するばかりではなく、その稼働状態も光ファイバーを伝わり送信することが可能で、それら機器の電力や稼働状態などのデータを布設されたハイブリッドケーブルでもって集中管理することができる。
【００２７】
また、この実施形態では３重構造としたが、その用途に合わせて４重以上にすることも考えられる。導電部を何層も積層することによって光ファイバー１１を屈曲から防ぐことができるが、その分ケーブルの曲げ半径が大きくなり布設に手間がかかるため、その設置される雰囲気によって光ファイバー１１の本数や導電層の数を考慮してケーブルの種類を選択するのがよい。
【００２８】
図３はハイブリッドケーブル１０の使用例を示す概略配線図である。上述したハイブリッドケーブル１０を実際にマンションやビルに布設する場合は、布設例２９のようになる。外部の光ファイバーネットと接続されるマンションやビルの（複数の光ファイバをまとめた）屋内基幹光ファイバーケーブル２３と、その屋内基幹光ファイバーケーブル２３を分岐して、電源の供給源となる第１ハイブリッドハブ２４と、その第１ハイブリッドハブ２４に接続されて、光ファイバーによる通信と電源線による電力の供給ができるハイブリッドケーブル１０とからなる。
【００２９】
屋内基幹光ファイバーケーブル２３は例えばマンションやビルなどの各フロワや大きな部署ごとに設置され、光ファイバーケーブルを何本か束ねて、合成樹脂や針金で保護し、耐久性を持たせ、扱いやすい太さにしたものである。また第１ハイブリッドハブ２４は、前記屋内基幹光ファイバー２３と前記ハイブリッドケーブル１０を光ファイバーで通信して、さらにそのハイブリッドケーブル１０の電源線に電気を供給する。前記第１ハイブリッドハブ２４に供給される電源２７は例えばＡＣ１００Ｖまたは２００Ｖである。
【００３０】
図４にハイブリッドケーブル１０の使用例の概略配線図を示す。前記第１ハイブリッドハブ２４から延びた前記ハイブリッドケーブル１０は図４に示すように、第２ハイブリッドハブ２８によりさらに分岐させられる。その第２ハイブリッドハブ２８は前記ハイブリッドケーブル１０によって直列に数珠繋ぎに接続することができ、各部屋毎に設置される。前記第２ハイブリッドハブ２８は例えば、前記第１ハイブリッドハブ２４から供給される電源がＡＣ１００Ｖまたは２００Ｖのとき、それをＤＣ１２Ｖ、２４Ｖなどに変換して前記ハイブリッドケーブル１０に流す。前記第２ハイブリッドハブ２８から伸びる前記ハイブリッドケーブル１０の末端には、パソコンなどの端末機器２５をハイブリッドケーブル１０で接続することができる。そのためパソコンの周りがスッキリとして、見た目も美しい。これがパソコンの台数が多いオフィスなどに用いられる場合はさらにその配線がシンプルとなり配線工事やＬＡＮの構築が容易となる。
【００３１】
さらに第２ハイブリッドハブ２８から分岐するハイブリッドケーブル１０によって、空調設備などに用いられる空調用の調節ダンパの駆動用アクチュエータや、火災時の排煙装置のファン駆動モータ２６などへの電源供給とその制御のために用いられた場合は、稼働状況のモニタ、それらの機器の集中的管理、またはその情報を外部でコントロールするなどの用途がある。これに関連して前記第２ハイブリッドハブ２８に温度センサや煙探知機なども接続することができ、この場合もそのデータを防災用のデータとして光ファイバーを通じて、外部に発信したり集中的に管理することができる。
【００３２】
前記ハイブリッドケーブル１０は、空調用ダクトのモータダンパに用いたり、排煙ダンパあるいは防火用ダンパのモータダンパに用いたりする場合は、図５のようにダクト３０の外面に沿ってあらかじめケーブル配線用の支持具３１を設けるのが好ましい。なお、このハイブリッドケーブル１０は、前記支持具３１内に１本だけ通し、前記第２ハイブリッドハブ２８に順に渡り配線するのが通常であり、それで充分である。ただし図５の二点鎖線のように複数本のハイブリッドケーブル１０を布設することもできるが、１本で布設する場合はそれを交換するときなどに作業が容易であり、そのためのスペースもとらない。さらに前記ダクト３０の内部と外部の温度差による結露を防ぐために前記ダクト３０の周囲を断熱材で覆うのが好ましい。また、ダクト３０から伝わる振動による前記ハイブリッドケーブル１０のバタつきを防ぐために前記ハイブリッドケーブル１０の周囲を断熱材で覆うこともできる。
【００３３】
また、地下室など、屋内で露出しているダクト３０に沿ってハイブリッドケーブル１０を配線する場合は、図６のようにダクト内にケーブル配線用のスペース３２を設けるのが好ましい。その場合は鼠の害を防止することができる。この図６でも前述した図５の場合と同じように、１本の配線で充分であるが、二点鎖線で示すように複数本のハイブリッドケーブル１０を布設することもできるが、１本で布設する場合はそれを交換するときなどに交換作業が容易であり、そのためのスペースもとらない。さらにそのスペースが小さくなると、ダクト３０内のデットスペースも小さくすることができる。このデッドスペースをなるべく小さくするように前記ケーブル配線用のスペース３２はダクト３０の底板と側壁を２辺とする三角形状とすることもできる。また複数本のハイブリッドケーブル１０を布設する場合は前記ダクト３０の四隅にそのためのスペースを設けるなどして、なるべくダクト３０内でデッドスペースを作らないようにすることが好ましい。それにより前記ダクト３０内の空気の流れがスムーズになるのでダクト３０が振動してバタつくのを防ぐ。
【図面の簡単な説明】
【図１】図１ａは本発明のハイブリッドケーブルの第１の実施形態を示す部分断面正面図、図１ｂはその側面図である。
【図２】図２ａは本発明のハイブリッドケーブルの第２の実施形態を示す部分断面正面図、図２ｂはその側面図である。
【図３】本発明のハイブリッドケーブルの使用状態を示す概略配線図である。
【図４】本発明のハイブリッドケーブルの他の使用状態を示す概略配線図である。
【図５】本発明のハイブリッドケーブルの布設例を示す斜面図である。
【図６】本発明のハイブリッドケーブルの他の布設例を示す斜面図である。
【図７】特許文献１の給電型複合ケーブルを示す断面図である。
【図８】図８ａは特許文献２の複合ケーブルを示す側面部分断面図、図８ｂはその正面断面図である。
【図９】特許文献３の複合ケーブルを示す斜面図である。
【符号の説明】
１０  ハイブリッドケーブル（図１）
１１  光ファイバー
１２  第１導電層
１３  第２導電層
１４  絶縁被覆層
１５  絶縁層
１６  第１導電層
１７  第２電動層
１８  ハイブリッドケーブル（図２）
１９  保護用被覆
２０  第３導電層
２１  第２絶縁層
２２  第１絶縁層
２３  屋内基幹光ファイバーケーブル
２４  第１ハイブリッドハブ
２５  末端機器
２６  排気ファン
２７  電源線
２８  第２ハイブリッドハブ
２９  布設例
３０  ダクト
３１  支持具
３２  配管用スペース
１００  給電線複合型光ファイバー
１０１  支持線
１０２  光ユニット
１０３  抗張力線
１０４  絶縁被覆層
１０５  導電性張力線
１０６  光ファイバー
１０７  絶縁被覆層
１１０  光ファイバー部
１１１  電源部
１１２  テンションメンバ
１１３  光ファイバー芯線
１１４  押さ巻
１１５  内部導体
１１６  絶縁層
１１７  外部導体
１１８  シース
１１９  複合ケーブル
１２０  同軸ケーブル
１２１  商用電源ケーブル
１２２  光ファイバー
１２３  絶縁体
１２４  導体線
１２５  絶縁体
【図１】
2004214031.tif 000003
【図２】
2004214031.tif 000004
【図３】
2004214031.tif 000005
【図４】
2004214031.tif 000006
【図５】
2004214031.tif 000007
【図６】
2004214031.tif 000008
【図７】
2004214031.tif 000009
【図８】
2004214031.tif 000010
【図９】
2004214031.tif 000011